(57)【要約】【課題】搬送路に堆積するトナーを除去可能なトナー搬送装置、及び画像形成装置を提供すること。【解決手段】画像形成装置は、トナーが搬送される第１搬送路と、前記第１搬送路に回転可能に設けられ、前記第１搬送路における一方側の終端部に軸端部３７６Ａが配置された回転軸３７６Ｂを有し、前記終端部へ向けてトナーを搬送する搬送部材と、前記第１搬送路の前記終端部に連続し、前記終端部から前記第１搬送路に交差する方向へ延びる第２搬送路３７５Ｃと、第２搬送路３７５Ｃの底面において回転軸３７６Ｂから離間した位置に形成され、第２搬送路３７５Ｃからトナーが搬出される開口部３７５Ｄと、軸端部３７６Ａから回転軸３７６Ｂに直交する方向へ前記搬送部材の外周面３７６Ｄを越えて延出される可撓性を有するフィルム部材３７７と、を備える。【選択図】図６
2017032703.tif 000002
【特許請求の範囲】
【請求項１】
トナーが搬送される第１搬送路と、
前記第１搬送路に回転可能に設けられ、前記第１搬送路における一方側の終端部に軸端部が配置された回転軸を有し、前記終端部へ向けてトナーを搬送する搬送部材と、
前記第１搬送路の前記終端部に連続し、前記終端部から前記第１搬送路に交差する方向へ延びる第２搬送路と、
前記第２搬送路の底面において前記回転軸から離間した位置に形成され、前記第２搬送路からトナーが搬出される開口部と、
前記軸端部から前記回転軸に直交する方向へ前記搬送部材の外周面を越えて延出される可撓性を有するフィルム部材と、を備えるトナー搬送装置。
【請求項２】
前記フィルム部材の延出方向における長さは、前記軸端部から前記開口部の前記軸端部側の縁部までの距離以上である請求項１に記載のトナー搬送装置。
【請求項３】
前記フィルム部材は、細幅帯状に形成されており、その長手方向の一端部が前記軸端部に巻き付けられて固定されており、前記フィルム部材の前記一端部を前記軸端部との間で挟持するように環状の固定具が前記軸端部に外嵌されている請求項１又は２に記載のトナー搬送装置。
【請求項４】
前記第２搬送路を形成するガイド部を備え、
前記ガイド部は、前記軸端部の前記開口部側とは反対側に設けられ、前記搬送部材の前記外周面に沿う円弧状の円弧ガイド部と、前記円弧ガイド部の円弧方向における上側端部から前記第２搬送路の延在方向へ向けて斜め下方へ延出し前記第２搬送路の延在方向の端部において先細り空間を形成する傾斜ガイド部とを有する請求項１〜３のいずれかに記載のトナー搬送装置。
【請求項５】
請求項１〜４のいずれかに記載のトナー搬送装置を備える画像形成装置。
【請求項６】
像担持体に形成されたトナー像が転写される被転写部材と、
前記被転写部材に転写された前記トナー像をシートに転写する転写部と、
前記転写部による転写後に前記被転写部材に残存するトナーを除去するクリーニング部材と、を更に備え、
前記トナー搬送装置は、前記クリーニング部材により除去されたトナーを搬送する請求項５に記載の画像形成装置。
【発明の詳細な説明】
【技術分野】
【０００１】
本発明は、トナー搬送装置、及びトナー搬送装置を備える画像形成装置に関する。
【背景技術】
【０００２】
電子写真方式で画像を形成可能な画像形成装置は、感光体ドラムなどの像担持体上に残存するトナーを除去するクリーニング部材を備える（例えば、特許文献１参照）。前記クリーニング部材によって像担持体から除去されたトナーは、回転可能に設けられた搬送スクリューなどの搬送部材により搬送路内を搬送され、前記搬送路の終端部に設けられた開口部を経由してトナー収容部に収容される。
【先行技術文献】
【特許文献】
【０００３】
【特許文献１】特開２００５−３７５２１号公報
【発明の概要】
【発明が解決しようとする課題】
【０００４】
ところで、画像形成装置では、例えば構造上の制約などにより前記開口部が前記搬送路の終端部から前記搬送路に交差する方向にずれた位置に形成されることがある。このような構成では、従来、搬送部材の回転軸の軸端部が前記終端部に配置され、前記軸端部にトナーを前記開口部に向けて押し出すフィンが設けられていた。しかしながら、上記従来の技術では、前記終端部から前記開口部までの間の領域における前記フィンの届かない位置でトナーが堆積して、堆積したトナーによって搬送部材によるトナーの搬送が阻害されることがある。
【０００５】
本発明の目的は、搬送路に堆積するトナーを除去可能なトナー搬送装置、及び画像形成装置を提供することにある。
【課題を解決するための手段】
【０００６】
本発明の一の局面に係るトナー搬送装置は、第１搬送路と、搬送部材と、第２搬送路と、開口部と、フィルム部材とを備える。前記第１搬送路では、トナーが搬送される。前記搬送部材は、前記第１搬送路に回転可能に設けられ、前記第１搬送路における一方側の終端部に軸端部が配置された回転軸を有し、前記終端部へ向けてトナーを搬送する。前記第２搬送路は、前記第１搬送路の前記終端部に連続し、前記終端部から前記第１搬送路に交差する方向へ延びている。前記開口部は、前記第２搬送路の底面において前記回転軸から離間した位置に形成され、前記第２搬送路からトナーが搬出される。前記フィルム部材は可撓性を有し、前記軸端部から前記回転軸に直交する方向へ前記搬送部材の外周面を越えて延出される。
【０００７】
本発明の他の局面に係る画像形成装置は、トナー搬送装置を備える。前記トナー搬送装置は、第１搬送路と、搬送部材と、第２搬送路と、開口部と、フィルム部材とを備える。前記第１搬送路では、トナーが搬送される。前記搬送部材は、前記第１搬送路に回転可能に設けられ、前記第１搬送路における一方側の終端部に軸端部が配置された回転軸を有し、前記終端部へ向けてトナーを搬送する。前記第２搬送路は、前記第１搬送路の前記終端部に連続し、前記終端部から前記第１搬送路に交差する方向へ延びている。前記開口部は、前記第２搬送路の底面において前記回転軸から離間した位置に形成され、前記第２搬送路からトナーが搬出される。前記フィルム部材は可撓性を有し、前記軸端部から前記回転軸に直交する方向へ前記搬送部材の外周面を越えて延出される。
【発明の効果】
【０００８】
本発明によれば、搬送路に堆積するトナーを除去することが可能である。
【図面の簡単な説明】
【０００９】
【図１】図１は、本発明の実施形態に係る画像形成装置の構成を示す図である。
【図２】図２は、本発明の実施形態に係る画像形成装置の画像形成ユニット及び中間転写装置の構成を示す図である。
【図３】図３は、本発明の実施形態に係る画像形成装置のベルト清掃部の構成を示す図である。
【図４】図４は、本発明の実施形態に係る画像形成装置のトナー搬送路の構成を示す図である。
【図５】図５は、本発明の実施形態に係る画像形成装置のフィルム部材の構成を示す図である。
【図６】図６は、本発明の実施形態に係る画像形成装置のガイド部の構成を示す図である。
【図７】図７は、本発明の実施形態に係る画像形成装置のフィルム部材及び固定具の構成を示す図である。
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定するものではない。
【００１１】
［画像形成装置１０の概略構成］
まず、図１及び図２を参照しつつ、本発明の実施形態に係る画像形成装置１０の概略構成について説明する。ここで、図１は画像形成装置１０の構成を示す断面模式図である。また、図２は画像形成ユニット３１〜３４及び中間転写装置３６の構成を示す断面模式図である。
【００１２】
画像形成装置１０は、原稿から画像データを読み取るスキャン機能、及び画像データに基づいて画像を形成するプリント機能と共に、ファクシミリ機能、又はコピー機能などの複数の機能を有する複合機である。なお、本発明は、プリンター装置、ファクシミリ装置、及びコピー機などの画像形成装置に適用可能である。
【００１３】
具体的に、図１に示すように、画像形成装置１０は、ＡＤＦ（自動原稿搬送装置）１、画像読取部２、画像形成部３、給紙部４、及び操作表示部５を備える。
【００１４】
ＡＤＦ１は、不図示の原稿セット部、複数の搬送ローラー、原稿押さえ、及び排紙部を備え、画像読取部２によって読み取られる原稿を搬送する。画像読取部２は、不図示の原稿台、光源、複数のミラー、光学レンズ、及びＣＣＤを備え、原稿から画像データを読み取ることが可能である。
【００１５】
操作表示部５は、不図示の制御部からの制御指示に応じて各種の情報を表示する液晶ディスプレーなどの表示部、及びユーザーの操作に応じて前記制御部に各種の情報を入力する操作キー又はタッチパネルなどの操作部を有する。
【００１６】
画像形成部３は、画像読取部２で読み取られた画像データに基づいて電子写真方式でカラー又はモノクロの画像を形成する画像形成処理（印刷処理）を実行することが可能である。また、画像形成部３は、外部のパーソナルコンピューター等の情報処理装置から入力された画像データに基づいて前記印刷処理を実行することも可能である。
【００１７】
具体的に、図１及び図２に示すように、画像形成部３は、複数の画像形成ユニット３１〜３４、光走査装置３５、中間転写装置３６、二次転写ローラー３８、定着装置３９、及び排紙トレイ４０を備える。
【００１８】
画像形成ユニット３１はＹ（イエロー）、画像形成ユニット３２はＣ（シアン）、画像形成ユニット３３はＭ（マゼンタ）、画像形成ユニット３４はＫ（ブラック）に対応する電子写真方式の画像形成ユニットである。図１に示すように、画像形成ユニット３１〜３４は、画像形成装置１０の前後方向に沿って前方からイエロー、シアン、マゼンタ、ブラックの順に併設される。
【００１９】
図１及び図２に示すように、画像形成ユニット３１は、感光体ドラム３１１、帯電ローラー３１２、現像装置３１３、一次転写ローラー３１４、ドラム清掃部３１５、及びトナーコンテナ３１６を備える。画像形成ユニット３２〜３４は、画像形成ユニット３１と同じ構成を備える。即ち、画像形成ユニット３２〜３４は、感光体ドラム３２１〜３４１、帯電ローラー３２２〜３４２、現像装置３２３〜３４３、一次転写ローラー３２４〜３４４、ドラム清掃部３２５〜３４５、及びトナーコンテナ３２６〜３４６を備える。ここに、感光体ドラム３１１〜３４１が、本発明における像担持体の一例である。
【００２０】
光走査装置３５は、画像形成ユニット３１〜３４が備える感光体ドラム３１１〜３４１各々に静電潜像を形成する。
【００２１】
中間転写装置３６は、中間転写ベルト３６１を用いて、画像形成ユニット３１〜３４が備える感光体ドラム３１１〜３４１各々から中間転写ベルト３６１に転写されるトナー像を搬送する。図１及び図２に示すように、中間転写装置３６は、中間転写ベルト３６１、駆動ローラー３６２、張架ローラー３６３、及びベルト清掃部３７を備える。
【００２２】
中間転写ベルト３６１は、画像形成ユニット３１〜３４が備える感光体ドラム３１１〜３４１各々の表面に形成されたトナー像が転写される無端状のベルト部材である。図１に示すように、中間転写ベルト３６１は、画像形成装置１０の前後方向において離間して配置された駆動ローラー３６２及び張架ローラー３６３によって張架される。ここに、中間転写ベルト３６１が本発明における被転写部材の一例である。
【００２３】
駆動ローラー３６２は、不図示の動力源から供給される駆動力により回転方向３６２Ａに沿って回転駆動して、中間転写ベルト３６１を走行させる。これにより、図１に示すように、中間転写ベルト３６１は、画像形成装置１０の前後方向と同じ搬送方向３６Ａに沿って走行する。
【００２４】
ベルト清掃部３７は、中間転写ベルト３６１の表面に残存したトナーを除去する。ベルト清掃部３７については後述する。
【００２５】
二次転写ローラー３８は、中間転写ベルト３６１の表面に付着したトナー像をシートに転写する。ここに、二次転写ローラー３８が、本発明における転写部の一例である。
【００２６】
定着装置３９は、二次転写ローラー３８によってシートに転写されたトナー像を前記シートに溶融定着させる。例えば、定着装置３９は、定着ローラー及び加圧ローラーを備える。前記定着ローラーは、前記加圧ローラーと接触して設けられ、シートに転写されたトナー像を加熱して前記シートに定着させる。前記加圧ローラーは、前記定着ローラーとの間で形成される接触部を通過するシートを加圧する。
【００２７】
画像形成部３では、給紙部４から供給されるシートに以下の手順でカラー画像が形成され、画像形成後の前記シートが排紙トレイ４０に排出される。なお、前記シートは、紙、コート紙、ハガキ、封筒、及びＯＨＰシートなどのシート材料である。
【００２８】
まず、画像形成ユニット３１において、帯電ローラー３１２によって感光体ドラム３１１の表面が所定の電位に一様に帯電される。次に、光走査装置３５により感光体ドラム３１１の表面に画像データに基づく光が照射される。これにより、感光体ドラム３１１の表面に画像データに対応する静電潜像が形成される。
【００２９】
そして、感光体ドラム３１１上の静電潜像は現像装置３１３によってシアンのトナー像として現像（可視像化）される。具体的に、現像装置３１３の現像ローラーから感光体ドラム３１１に対してトナーが供給されることで、感光体ドラム３１１上の静電潜像がトナー像として現像される。なお、現像装置３１３の内部では、トナーとキャリアを含む現像剤が攪拌スクリューによる攪拌で摩擦帯電されて磁気ローラーに送られ、磁気ローラーから現像剤中のトナーが現像ローラーに送られる。例えば、現像装置３１３の内部において、トナーは正極性に摩擦帯電される。また、現像装置３１３には、画像形成部３に着脱可能なトナーコンテナ３１６からシアンのトナーが補給される。
【００３０】
続いて、感光体ドラム３１１に形成されたシアンのトナー像は、一次転写ローラー３１４により中間転写装置３６の中間転写ベルト３６１に転写される。一方、感光体ドラム３１１の表面に残存したトナーはドラム清掃部３１５で除去される。例えば、ドラム清掃部３１５では、感光体ドラム３１１の表面に残存したトナーがブレード状のクリーニング部材により除去される。そして、クリーニング部材により除去されたトナーは、搬送スクリューにより不図示のトナー収容容器まで搬送されて回収される。
【００３１】
次に、画像形成ユニット３２〜３４においても、画像形成ユニット３１と同様の処理手順で、画像形成ユニット３２〜３４が備える感光体ドラム３２１、感光体ドラム３３１、及び感光体ドラム３４１各々に各色のトナー像が形成されて、中間転写装置３６の中間転写ベルト３６１にシアン、マゼンタ、イエロー、ブラックの順に重ねて転写される。そして、中間転写ベルト３６１に転写された前記トナー像は、二次転写ローラー３８により給紙部４から供給されるシートに転写される。
【００３２】
その後、前記トナー像が転写された前記シートは、定着装置３９により前記トナー像が溶融定着されることで画像が形成され、排紙トレイ４０に排出される。
【００３３】
次に、図３及び図４を参照しつつ、ベルト清掃部３７について説明する。ここで、図３はベルト清掃部３７の構成を示す断面模式図である。また、図４はトナー搬送路３７５の構成を示す平面模式図である。
【００３４】
ベルト清掃部３７は、中間転写ベルト３６１の表面を清掃する。図３及び図４に示すように、ベルト清掃部３７は、ハウジング３７１、クリーニング部材３７２、回収ローラー３７３、ブレード部材３７４、トナー搬送路３７５、搬送部材３７６、及びフィルム部材３７７を備える。また、ベルト清掃部３７は、固定具３７８、ガイド部３７９、及びトナー収容部３８０を備える。ここに、トナー搬送路３７５、搬送部材３７６、フィルム部材３７７、固定具３７８、及びガイド部３７９を備える構成が、本発明におけるトナー搬送装置の一例である。
【００３５】
ハウジング３７１は、クリーニング部材３７２、回収ローラー３７３、ブレード部材３７４、及び搬送部材３７６を収納する。また、図３に示すように、ハウジング３７１の内部には、トナー搬送路３７５のうちの第１搬送路３７５Ａが形成されている。
【００３６】
クリーニング部材３７２は、二次転写ローラー３８によるトナー像の転写後に中間転写ベルト３６１に残存するトナーを除去する。例えば、クリーニング部材３７２は、中間転写ベルト３６１と接触する位置において回転可能に設けられた導電性のブラシローラーである。クリーニング部材３７２は、不図示の電源装置から印加される電圧により、トナーの帯電極性とは逆極性（負極性）に帯電される。また、クリーニング部材３７２は、不図示の動力源により駆動ローラー３６２と同じ回転方向３７２Ａに沿って回転する。これにより、クリーニング部材３７２は、中間転写ベルト３６１の表面に付着したトナーを静電的に吸引する。
【００３７】
回収ローラー３７３は、クリーニング部材３７２によって中間転写ベルト３６１の表面から除去されたトナーを回収する。例えば、回収ローラー３７３は、クリーニング部材３７２と接触する位置において回転可能に設けられた金属製のローラーである。回収ローラー３７３は、クリーニング部材３７２に印加される電圧より高い電圧が不図示の電源装置から印加されて、クリーニング部材３７２と同じ極性に帯電される。また、回収ローラー３７３は、不図示の動力源により駆動ローラー３６２と逆の回転方向３７３Ａに沿って回転する。これにより、回収ローラー３７３は、クリーニング部材３７２の表面に付着したトナーを静電的に吸引する。
【００３８】
ブレード部材３７４は、回収ローラー３７３と接触して設けられ、回収ローラー３７３の表面に付着したトナーを除去する。例えば、ブレード部材３７４は、一方の端部が回収ローラー３７３と接触するように他方の端部がハウジング３７１に固定されたゴムブレードである。ブレード部材３７４によって回収ローラー３７３から除去されたトナーは、トナー搬送路３７５の第１搬送路３７５Ａに落下する。
【００３９】
トナー搬送路３７５は、クリーニング部材３７２により除去されたトナーが搬送される。図４に示すように、トナー搬送路３７５は、第１搬送路３７５Ａ、及び第２搬送路３７５Ｃを有する。
【００４０】
第１搬送路３７５Ａは、ブレード部材３７４によって除去されたトナーが搬送される。図３及び図４に示すように、第１搬送路３７５Ａは、ハウジング３７１の内壁によって、ブレード部材３７４の下方の位置で画像形成装置１０の左右方向に沿って形成されている。
【００４１】
搬送部材３７６は、第１搬送路３７５Ａに回転可能に設けられ、ブレード部材３７４によって除去されたトナーを搬送する。図４に示すように、搬送部材３７６は、第１搬送路３７５Ａにおける一方の終端部３７５Ｂに軸端部３７６Ａが配置された回転軸３７６Ｂを有し、終端部３７５Ｂへ向けてトナーを搬送する。例えば、搬送部材３７６は、回転軸３７６Ｂを中心に螺旋状に形成されたフィンを有し、搬送方向３７６Ｃに沿ってトナーを搬送する搬送スクリューである。
【００４２】
第２搬送路３７５Ｃは、搬送部材３７６によって第１搬送路３７５Ａの終端部３７５Ｂに搬送されたトナーが搬送される。図４に示すように、第２搬送路３７５Ｃは、第１搬送路３７５Ａの終端部３７５Ｂに連続し、終端部３７５Ｂから第１搬送路３７５Ａに交差する方向へ延びて形成される。なお、第２搬送路３７５Ｃは、後述するガイド部３７９によって形成される。
【００４３】
図４に示すように、第２搬送路３７５Ｃは、回転軸３７６Ｂから離間した位置における底面に形成された開口部３７５Ｄを有する。搬送部材３７６によって終端部３７５Ｂに搬送されたトナーは、開口部３７５Ｄを経由して第２搬送路３７５Ｃから搬出される。第２搬送路３７５Ｃから搬出されたトナーは、開口部３７５Ｄに接続されたトナー収容部３８０（図６参照）に収容される。例えば、トナー収容部３８０は樹脂製の収容容器である。
【００４４】
ところで、画像形成装置１０では、構造上の制約により、上述のように開口部３７５Ｄが第１搬送路３７５Ａの終端部３７５Ｂから第１搬送路３７５Ａに交差する方向にずれた位置に形成される。このような構成では、従来、搬送部材３７６の軸端部３７６Ａにトナーを開口部３７５Ｄに向けて押し出すフィンが設けられていた。しかしながら、上記従来の技術では、第２搬送路３７５Ｃにおける前記フィンの届かない位置でトナーが堆積して、堆積したトナーによって搬送部材３７６によるトナーの搬送が阻害されることがある。これに対し、本発明の実施形態に係る画像形成装置１０では、以下に説明するように、第２搬送路３７５Ｃに堆積するトナーを除去することが可能である。
【００４５】
以下、図４〜図７を参照しつつ、フィルム部材３７７、固定具３７８、及びガイド部３７９について説明する。ここで、図５は搬送部材３７６の軸端部３７６Ａに取り付けられる前のフィルム部材３７７の構成を示す平面模式図である。また、図６は図４におけるＶＩ−ＶＩ矢視断面図である。また、図７は搬送部材３７６の軸端部３７６Ａに取り付けられたフィルム部材３７７及び固定具３７８の構成を示す斜視図である。なお、図６における一点鎖線は、搬送部材３７６の外周面３７６Ｄを示すものである。
【００４６】
フィルム部材３７７は、可撓性を有し、搬送部材３７６の軸端部３７６Ａから回転軸３７６Ｂに直交する方向へ搬送部材３７６の外周面３７６Ｄを越えて延出される。具体的に、フィルム部材３７７は、可撓性を有する合成樹脂によって形成された細幅帯状の部材である。例えば、フィルム部材３７７は、厚みが０．０７５ｍｍ、短手方向における幅が５ｍｍ、長手方向における幅が３３ｍｍで形成される。図５に示すように、フィルム部材３７７は、長手方向における中央部から一端部３７７Ｂ寄りの位置であって幅方向における中央部の位置に形成された円形の貫通孔３７７Ａを有する。
【００４７】
ここで、搬送部材３７６は、軸端部３７６Ａにおいて回転軸３７６Ｂに直交する方向に突出する円柱形状の突起部３７６Ｅ（図６及び図７参照）を有する。一方、フィルム部材３７７の貫通孔３７７Ａは、突起部３７６Ｅが挿嵌可能な形状で形成されている。
【００４８】
フィルム部材３７７は、貫通孔３７７Ａに突起部３７６Ｅが挿嵌されて、その長手方向の一端部３７７Ｂが軸端部３７６Ａに巻き付けられる。そして、一端部３７７Ｂがフィルム部材３７７の貫通孔３７７Ａと他端部３７７Ｃとの間の領域に両面テープ等により接着されて、軸端部３７６Ａに固定される（図６及び図７参照）。これにより、フィルム部材３７７は、他端部３７７Ｃが軸端部３７６Ａから回転軸３７６Ｂに直交する方向へ延出されて、軸端部３７６Ａに固定される。また、フィルム部材３７７の貫通孔３７７Ａに突起部３７６Ｅが挿嵌されることで、他端部３７７Ｃの軸端部３７６Ａの外周上における位置が固定される。なお、一端部３７７Ｂと軸端部３７６Ａとが両面テープ等により接着されてもよい。
【００４９】
フィルム部材３７７の他端部３７７Ｃは、搬送部材３７６の回転に伴って回転軸３７６Ｂを中心に回転する。これにより、他端部３７７Ｃが第２搬送路３７５Ｃの底面における軸端部３７６Ａの直下から開口部３７５Ｄの軸端部３７６Ａ側の縁部３７５Ｅまでの間の領域Ａ１（図６参照）の一部又は全部と接触して、領域Ａ１に堆積するトナーが除去される。なお、他端部３７７Ｃは第２搬送路３７５Ｃの底面と接触して撓るため、他端部３７７Ｃを回転軸３７６Ｂから搬送部材３７６の外周面３７６Ｄを越えて延出させても、搬送部材３７６の回転が阻害されることはない。搬送部材３７６は、図６において時計周り方向に回転されてもよいし、反時計回り方向に回転されてもよい。
【００５０】
ここで、図６に示すように、フィルム部材３７７の延出方向における長さＬ１は、軸端部３７６Ａから開口部３７５Ｄの軸端部３７６Ａ側の縁部３７５Ｅまでの距離Ｌ２以上である。これにより、フィルム部材３７７の他端部３７７Ｃは、領域Ａ１の全部と接触可能である。なお、フィルム部材３７７の延出方向における長さＬ１は、他端部３７７Ｃが領域Ａ１の一部と接触可能であれば、距離Ｌ２未満であってもよい。例えば、画像形成装置１０において、図６に示すように搬送部材３７６の外周面３７６Ｄと第２搬送路３７５Ｃの底面との間に間隙が設けられている場合には、フィルム部材３７７の延出方向における長さＬ１は、軸端部３７６Ａから搬送部材３７６の外周面３７６Ｄまでの距離と前記間隙の距離との合計値を超えていればよい。また、画像形成装置１０において、搬送部材３７６の外周面３７６Ｄと第２搬送路３７５Ｃの底面とが接触して設けられている場合には、フィルム部材３７７の延出方向における長さＬ１は、軸端部３７６Ａから搬送部材３７６の外周面３７６Ｄまでの距離を超えていればよい。
【００５１】
固定具３７８は、フィルム部材３７７の一端部３７７Ｂを軸端部３７６Ａとの間で挟持するように軸端部３７６Ａに外嵌される環状の部材である。例えば、図７に示すように、固定具３７８は、細幅帯状の板金部材をＣ字状に曲げ加工して形成されており、円弧方向における中央部から両端部各々までの間の曲率が変化するように弾性変形可能である。固定具３７８は、円弧方向における中央部に、突起部３７６Ｅが挿嵌可能に形成された貫通孔３７８Ａを有する。
【００５２】
固定具３７８は、円弧方向における両端部が互いに離間する方向に広げられて弾性変形された状態で貫通孔３７８Ａに突起部３７６Ｅが挿嵌され、弾性変形が解除されることでフィルム部材３７７が取り付けられた状態の軸端部３７６Ａに外嵌される。フィルム部材３７７は、固定具３７８の円弧方向における両端部に作用する弾性変形からの復元力により固定具３７８と軸端部３７６Ａとの間で挟持される。これにより、画像形成装置１０の長期的な使用等によりフィルム部材３７７の一端部３７７Ｂに貼付された両面テープ等の接着力が低下して、フィルム部材３７７が軸端部３７６Ａから外れることが防止される。なお、画像形成装置１０において固定具３７８が設けられていなくてもよい。
【００５３】
ガイド部３７９は、第２搬送路３７５Ｃを形成する。図６に示すように、ガイド部３７９は、底面部３７９Ａ、円弧ガイド部３７９Ｂ、及び傾斜ガイド部３７９Ｄを有する。例えば、ガイド部３７９は、底面部３７９Ａ、円弧ガイド部３７９Ｂ、及び傾斜ガイド部３７９Ｄを有する樹脂製の部材であって、第１搬送路３７５Ａの終端部３７５Ｂに取り付けられる。なお、ガイド部３７９は、ハウジング３７１と一体に形成されてもよい。
【００５４】
底面部３７９Ａは、第２搬送路３７５Ｃの底面を形成する。円弧ガイド部３７９Ｂは、軸端部３７６Ａの開口部３７５Ｄ側とは反対側に設けられ、搬送部材３７６の外周面３７６Ｄに沿って円弧上に形成される。傾斜ガイド部３７９Ｄは、円弧ガイド部３７９Ｂの円弧方向における上側端部３７９Ｃから第２搬送路３７５Ｃの延在方向へ向けて斜め下方へ延出し第２搬送路３７５Ｃの延在方向の端部において先細り空間を形成する。
【００５５】
フィルム部材３７７は、搬送部材３７６の回転に伴って円弧ガイド部３７９Ｂ及び底面部３７９Ａを摺擦する。例えば、搬送部材３７６が時計周り方向に回転される場合、フィルム部材３７７の他端部３７７Ｃは、ガイド部３７９の内面における円弧ガイド部３７９Ｂの上側端部３７９Ｃから底面部３７９Ａの縁部３７５Ｅまでの間の領域を撓った状態で摺擦する。また、搬送部材３７６が反時計周り方向に回転される場合、他端部３７７Ｃは、ガイド部３７９の内面における縁部３７５Ｅから上側端部３７９Ｃまでの間の領域を撓った状態で摺擦する。これにより、搬送部材３７６により終端部３７５Ｂに搬送されたトナーは、フィルム部材３７７によって縁部３７５Ｅ又は上側端部３７９Ｃから掻きだされる。傾斜ガイド部３７９Ｄは、フィルム部材３７７の他端部３７７Ｃにより縁部３７５Ｅ又は上側端部３７９Ｃから掻きだされるトナーを開口部３７５Ｄへ案内する。
【００５６】
このように、画像形成装置１０では、搬送部材３７６の軸端部３７６Ａに、フィルム部材３７７が設けられる。これにより、第２搬送路３７５Ｃの底面における軸端部３７６Ａの直下から開口部３７５Ｄの軸端部３７６Ａ側の縁部３７５Ｅまでの間の領域Ａ１に堆積するトナーを除去することが可能である。
【００５７】
なお、本発明は、画像形成ユニット３１〜３４の備えるドラム清掃部３１５〜３４５に適用されてもよい。例えば、ドラム清掃部３１５〜３４５各々に図４に示すようなトナー搬送路が設けられている場合に、ドラム清掃部３１５〜３４５各々が備える前記搬送スクリューの軸端部にフィルム部材３７７が設けられてもよい。
【００５８】
また、本発明は、画像形成ユニット３１〜３４の備えるトナーコンテナ３１６〜３４６に適用されてもよい。例えば、トナーコンテナ３１６〜３４６各々に図４に示すようなトナー搬送路が設けられている場合に、トナーコンテナ３１６〜３４６各々が備えるトナーを搬送する搬送部材の軸端部にフィルム部材３７７が設けられてもよい。
【符号の説明】
【００５９】
１  ：ＡＤＦ
２  ：画像読取部
３  ：画像形成部
４  ：給紙部
５  ：操作表示部
１０：画像形成装置
３１〜３４：画像形成ユニット
３５：光走査装置
３６：中間転写装置
３７：ベルト清掃部
３７１：ハウジング
３７２：クリーニング部材
３７３：回収ローラー
３７４：ブレード部材
３７５：トナー搬送路
３７６：搬送部材
３７７：フィルム部材
３７８：固定具
３７９：ガイド部
３８０：トナー収容部
３８：二次転写ローラー
３９：定着装置
【図１】
2017032703.tif 000003
【図２】
2017032703.tif 000004
【図３】
2017032703.tif 000005
【図４】
2017032703.tif 000006
【図５】
2017032703.tif 000007
【図６】
2017032703.tif 000008
【図７】
2017032703.tif 000009